(57)【要約】【課題】  画像形成装置において、搭載された種々の動作機能を有効に活用できるようにする。【解決手段】  カウント部１７は、当該装置Ａが有する複数の画像形成の動作機能について、それら動作機能の各動作回数をカウントする。表示部７は、それら動作機能に係る画面を表示する。表示制御部１９は、選択された動作機能に関連するとともにカウント値が基準値を超える動作機能に係る画面をその操作パネル部７に表示制御する。そのため、操作パネル部７には、選択された動作機能と、これに関連する動作機能とが表示される。【選択図】  図１
2010130269.tif 000002
【特許請求の範囲】
【請求項１】
画像形成に係る複数の動作機能を備えた画像形成装置であって、
前記動作機能の各動作回数をカウントするカウント部と、
前記動作機能に係る画面を表示する表示部と、
選択された前記動作機能に関連するとともに前記カウント値が所定の基準値を超える前記動作機能に係る画面を前記表示部に表示制御する表示制御部と、
を具備することを特徴とする画像形成装置。
【請求項２】
前記表示制御部は、前記基準値より小さなカウント値の前記動作機能に係る画面を表示制御する請求項１記載の画像形成装置。
【請求項３】
前記表示制御部は、前記基準値より大きなカウント値の前記動作機能に係る画面を表示制御する請求項１記載の画像形成装置。
【請求項４】
前記表示制御部は、選択された前記動作機能に関連する前記動作機能として代替的動作機能に係る画面を表示制御する請求項１〜３いずれか１記載の画像形成装置。
【請求項５】
前記表示制御部は、選択された前記動作機能に関連する前記動作機能として追加的動作機能に係る画面を表示制御する請求項１〜３いずれか１記載の画像形成装置。
【請求項６】
前記表示制御部は、選択表示された前記動作機能に係るショートカットキーに関連する前記動作機能に係る画面を表示制御する請求項１〜５いずれか１記載の画像形成装置。
【請求項７】
前記表示制御部は、選択された前記動作機能に関連する前記動作機能に係る画面を前記画像形成動作の完動状態の前段又は後段で表示制御する請求項１〜５いずれか１記載の画像形成装置。
【請求項８】
画像形成に係る複数の動作機能から選択された前記動作機能を実施する画像形成処理と、
前記動作機能の各動作回数をカウントするカウント処理と、
選択された前記動作機能の実施に先立ちこれに関連するとともに前記カウント値が所定の基準値を超える前記動作機能に係る画面を表示制御する表示制御処理と、
この表示制御処理に基づき前記動作機能に係る画面を表示部に表示する表示処理と、
を具備することを特徴とする画像形成方法。
【請求項９】
前記表示制御処理は、前記基準値より小さなカウント値の前記動作機能に係る画面を表示制御する請求項８記載の画像形成方法。
【請求項１０】
前記表示制御処理は、前記基準値より大きなカウント値の前記動作機能に係る画面を表示制御する請求８記載の画像形成方法。
【請求項１１】
前記表示制御処理は、選択された前記動作機能に関連する前記動作機能として代替的動作機能に係る画面を表示制御する請求項８〜１０いずれか１記載の画像形成方法。
【請求項１２】
前記表示制御処理は、選択された前記動作機能に関連する前記動作機能として追加的動作機能に係る画面を表示制御する請求項８〜１０いずれか１記載の画像形成方法。
【請求項１３】
前記表示制御処理は、選択表示された前記動作機能に係るショートカットキーに関連する前記動作機能に係る画面を表示制御する請求項８〜１２いずれか１記載の画像形成方法。
【請求項１４】
前記表示制御処理は、選択された前記動作機能に関連する前記動作機能に係る画面を前記画像形成動作の完動状態の前段又は後段で表示制御する請求項８〜１２いずれか１記載の画像形成方法。
【発明の詳細な説明】
【技術分野】
【０００１】
本発明は画像形成装置および画像形成方法に係り、例えば、複写機、ファクシミリ機、複合機（ＭＦＰ：Multi Function Peripheral）等の画像形成装置およびこれに用いる画像形成方法の改良に関する。
【背景技術】
【０００２】
近年の画像形成装置では、用紙選択機能、複写濃度設定機能、レイアウト機能、フィニッシャ機能その他多数の動作機能を備え、それらの動作機能の選択が可能になっており、ユーザがそれらの動作機能の中から１ないし複数の機能を選択して画像形成が実行されるようになっている。
【０００３】
そして、画像形成装置の操作表示部は領域が限られているので、当該装置が有する全ての機能を表示させることが困難で、代表的な機能のみ選択的に表示させたり、ユーザが予め選択した機能呼出し用のショートカットキーを表示させておくことが行われることから、一部の動作機能のみしか使用されない傾向が生じ、せっかくの動作機能が生かされずに装置の利便性を損ねる心配がある。
【０００４】
そこで、例えば、特開平１０−２２２０２０号公報（特許文献１）のような画像形成装置が提案されている。
【０００５】
この特許文献１は、動作モードのそれぞれの画像形成の回数を計数して保存し、計数された動作モードの画像形成の回数により使用頻度の低い動作モードを選択し、この選択された動作モードの案内メッセージを表示することにより、操作者に対して、使用頻度の低い機能に関する案内を迅速に行えるようにしたものである。
【０００６】
また、特開２００６−６５１４３号公報（特許文献２）の画像形成装置も提案されている。
【０００７】
この特許文献２は、各機能に対応付けられたカウンタを設け、所定期間内に選択された機能に対応するカウンタにポイントを加算し、カウンタのカウント値が最小の機能の中からいずれかの機能を選出し、その機能のショートカットキーをショートカットキー表示部に表示させる構成を有し、ショートカットキー表示部に表示されたショートカットキーを見たユーザに対し、その機能の存在を気付かせ、当該機能の使用を促進させるようにしたものである。
【特許文献１】特開平１０−２２２０２０号公報
【特許文献２】特開２００６−６５１４３号公報
【発明の開示】
【発明が解決しようとする課題】
【０００８】
しかしながら、上述した特許文献１、２では、動作モードの計数を行って使用頻度の低い動作モードの案内メッセージを表示したり、使用頻度の低い機能をショートカットキーにして表示部に表示させるのみであり、表示された案内メッセージおよびショートカットキーがどのような機能に関するもので、作業中の画像形成にどのように関連して有用なのか把握し難く、結局は使用されずに装置の利便性を向上させ難い。
【０００９】
本発明はそのような課題を解決するためになされたもので、選択された動作機能との関係において、所定の使用頻度の動作機能に係る画面を関連付けて表示可能で、種々の動作機能の有効活用が容易な画像形成装置および画像形成方法の提供を目的とする。
【課題を解決するための手段】
【００１０】
そのような課題を解決するために本発明の請求項１に係る画像形成装置は、画像形成に係る複数の動作機能を備えた画像形成装置であって、それら動作機能の各動作回数をカウントするカウント部と、それら動作機能に係る画面を表示する表示部と、選択された動作機能に関連するとともにカウント値が所定の基準値を超える動作機能に係る画面をその表示部に表示制御する表示制御部と、を具備している。
【００１１】
本発明の請求項２に係る画像形成装置は、上記表示制御部が、その基準値より小さなカウント値の動作機能に係る画面を表示制御する構成を有している。
【００１２】
本発明の請求項３に係る画像形成装置は、上記表示制御部が、その基準値より大きなカウント値の動作機能に係る画面を表示制御する構成を有している。
【００１３】
本発明の請求項４に係る画像形成装置は、上記表示制御部が、選択された動作機能に関連する動作機能として代替的動作機能に係る画面を表示制御する構成を有している。
【００１４】
本発明の請求項５に係る画像形成装置は、上記表示制御部が、選択された動作機能に関連する動作機能として追加的動作機能に係る画面を表示制御する構成を有している。
【００１５】
本発明の請求項６に係る画像形成装置は、上記表示制御部が、選択表示された動作機能に係るショートカットキーに関連する動作機能に係る画面を表示制御する構成を有している。
【００１６】
本発明の請求項７に係る画像形成装置は、上記表示制御部が、選択された動作機能に関連する動作機能に係る画面を画像形成動作の完動状態の前段又は後段で表示制御する構成を有している。
【００１７】
本発明の請求項８に係る画像形成方法は、画像形成に係る複数の動作機能から選択された動作機能を実施する画像形成処理と、その動作機能の各動作回数をカウントするカウント処理と、選択された動作機能の実施に先立ちこれに関連するとともにそのカウント値が所定の基準値を超える動作機能に係る画面を表示制御する表示制御処理と、この表示制御処理に基づきその動作機能に係る画面を表示部に表示する表示処理と、を具備している。
【００１８】
本発明の請求項９に係る画像形成方法は、上記表示制御処理が、その基準値より小さなカウント値の動作機能に係る画面を表示制御する構成を有している。
【００１９】
本発明の請求項１０に係る画像形成方法は、上記表示制御処理が、その基準値より大きなカウント値の動作機能に係る画面を表示制御する構成を有している。
【００２０】
本発明の請求項１１に係る画像形成方法は、上記表示制御処理が、選択された動作機能に関連する動作機能として代替的動作機能に係る画面を表示制御する構成を有している。
【００２１】
本発明の請求項１２に係る画像形成方法は、上記表示制御処理が、選択された動作機能に関連する動作機能として追加的動作機能に係る画面を表示制御する構成を有している。
【００２２】
本発明の請求項１３に係る画像形成方法は、上記表示制御処理が、選択表示された動作機能に係るショートカットキーに関連する動作機能に係る画面を表示制御する構成を有している。
【００２３】
本発明の請求項１４に係る画像形成方法は、上記表示制御処理が、選択された動作機能に関連する動作機能に係る画面を画像形成動作の完動状態の前段又は後段で表示制御する構成を有している。
【発明の効果】
【００２４】
このような本発明の請求項１、８に係る本発明に係る画像形成装置および画像形成方法では、画像形成に係る複数の動作機能のうち、選択された動作機能に関連するとともに動作回数が所定の基準値を超える動作機能に係る画面を表示部に表示可能となり、選択された動作機能との関係において、所定の使用頻度の動作機能に係る画面を関連付けて表示可能で、種々の動作機能の有効活用が容易である。
【００２５】
本発明の請求項２、９に係る画像形成装置および画像形成方法では、基準値より小さなカウント値の動作機能に係る画面を表示可能であるから、使用頻度の低い動作機能をユーザに知らせ、その有効利用を促進させ易い。
【００２６】
本発明の請求項３、１０に係る画像形成装置および画像形成方法では、基準値より大きなカウント値の動作機能に係る画面を表示可能であるから、使用頻度の高い動作機能をユーザに知らせ、その有効利用を図り易い。
【００２７】
本発明の請求項４、１１に係る画像形成装置および画像形成方法では、選択された動作機能に関連する動作機能として代替的動作機能に係る画面を表示するから、種々の動作機能の有効活用を確実に図ることが可能である。
【００２８】
本発明の請求項５、１２に係る画像形成装置および画像形成方法では、選択された動作機能に関連する動作機能として追加的動作機能に係る画面を表示するから、種々の動作機能の有効活用を確実に図ることが可能である。
【００２９】
本発明の請求項６、１３に係る画像形成装置および画像形成方法では、選択表示された動作機能に係るショートカットキーに関連する動作機能に係る画面を表示するから、特に、選択表示された動作機能とこれに関連する動作機能との関係が一層分かり易い。
【００３０】
本発明の請求項７、１４に係る画像形成装置および画像形成方法では、選択された動作機能に関連する動作機能に係る画面を画像形成動作の完動状態の前段又は後段で表示するから、起動準備期間や待ち期間にそれら動作機能に係る画面を表示するから、画像形成装置の操作を阻害し難い。
【発明を実施するための最良の形態】
【００３１】
以下、本発明に係る画像形成装置および画像形成方法の実施の形態を図面を参照して説明する。なお、本発明に係る画像形成方法は本発明の画像形成装置を説明する過程で説明する。
【００３２】
図１は本発明に係る画像形成装置の実施の形態を示す概略ブロック図である。
【００３３】
図１において、画像形成装置Ａは、主制御部１を中心としてこれに接続された画像読取部３、記憶部５、操作パネル部７、印刷部９および通信部１１を有して構成された、例えば複合機である。画像形成装置Ａは、これら以外にも構成要素を有するが、本発明の要部ではないので説明および図示を省略する。なお、主制御部１の機能については後述する。
【００３４】
画像読取部３は、主制御部１の制御の下、原稿から画像を光学的に読み込み、フィルタ処理等した電子的画像データを印刷ジョブとして生成する公知のスキャナであり、生成した画像データが原稿の頁毎に記憶部５に順次記憶されるようになっている。
【００３５】
記憶部５は、主制御部１の制御の下、画像読取部３又は通信部１１からの画像データ、画像形成装置Ａを操作するための操作画面情報や動作機能画面情報、後述する動作機能対応一覧、関係する動作機能どうしの関係を示す情報、所定のカウント基準値、各動作機能毎のカウント値、動作機能の既設定情報等を予め記憶する読み書き可能な記憶部、例えばハードディスク（ＨＤＤ）である。
【００３６】
ここで、画像形成装置Ａの動作機能として、例えば、Ａ４版、Ａ３版若しくはＢ４版の規格用紙選択の他、手差し又は用紙の縦横セット変更等の用紙設定の動作機能、いわゆる濃度選択又は自動濃度設定等の濃度設定の動作機能、片面／両面印刷、試し印刷、白黒反転、集約印刷、網掛印刷等の印刷形態設定の動作機能、ステープル、パンチ、中折り、表示付け、ソート又はスタック等のフィニッシャ設定の動作機能がある。
【００３７】
動作機能対応一覧は、それらの用紙設定の動作機能、濃度設定の動作機能、印刷形態設定の動作機能又はフィニッシャ設定の動作機能における動作機能毎に、それらが選択されて実行されたとき、その動作回数をカウントしてカウント値を個々の動作機能毎に対応させて記憶部５に記憶されたものである。
【００３８】
例えばＡ４の用紙選択動作、自動濃度動作、片面印刷動作、ステープルおよびパンチ動作が実行された都度、これらの動作機能をカウントすることになる。
【００３９】
操作パネル部７は、画像形成装置Ａに配置された公知の例えば液晶ディスプレイ表示部とタッチスイッチ式の入力部を兼ねたものであり、主制御部１の制御の下、画像形成装置Ａにおける動作状態や諸データを表示するとともに、当該装置Ａの操作指示入力、更には動作機能に係る画面を表示する他、それらの動作機能に係る画面領域その他をタッチする等して選択設定の入力を受ける機能を有している。
【００４０】
すなわち、操作パネル部７は、例えば図２に示すように、印刷（印字、コピー）処理、プリント処理、スキャナ処理、通信処理等の種々の操作指示や選択をする選択キー７ａ、それらの操作に係る動作機能の設定又は変更を入力する公知のテンキー７ｂ、動作機能のスタートキー７ｃの他、装置Ａの動作状況を表示する表示部としての表示パネル部７ｄ等を有しており、入力情報が主制御部１に出力されるようになっている。
【００４１】
なお、操作パネル部７の表示パネル部７ｄにおける動作機能に係る画面の表示については後述する。
【００４２】
図１に戻って、印刷部９は、主制御部１の制御の下、図示しない給紙段から印刷用紙を１次給紙して搬送し、搬送される印刷用紙を２次給紙する一方、記憶部５から読み出した画像データを画像イメージデータに展開し、このイメージデータに基づきトナー画像を形成し、２次給紙された印刷用紙に対しそのトナー画像を転写定着させてモノクロ又はフルカラー印刷して画像形成する公知の画像形成部（印刷エンジン）である。
【００４３】
印刷部９は、上述した用紙設定の動作機能、濃度設定の動作機能、印刷形態設定の動作機能又はフィニッシャ設定の動作機能その他多数の動作機能を備え、主制御部１の制御の下、操作パネル部７に表示された動作機能に係る画面に対する選択指示に基づき、それらの動作機能の選択や設定が可能になっており、ユーザがそれらの動作機能の中から１ないし複数の機能を選択して画像形成が実行されるようになっている。
【００４４】
通信部１１は、主制御部１の制御の下、ネットワーク１３を介して外部の例えば情報処理装置（コンピュータ）１５に接続されており、所定のデータ伝送プロトコルに従って、画像データその他のデータを送受信するインターフェースである。
【００４５】
主制御部１は、ＣＰＵ、このＣＰＵの起動プログラムを記憶したＲＯＭその他を有し、記憶部５に記憶されたアプリケーションプログラムによって画像読取部３、記憶部５、操作パネル部７、印刷部９および通信部１１を制御し、画像読取部３から読み取られ記憶部５に格納された画像データを印刷部９に渡して印刷制御（画像形成制御）する機能、および画像形成装置Ｂとの間で画像データの通信制御機能を有している。
【００４６】
また、主制御部１は、画像読取部３、記憶部５、操作パネル部７、印刷部９および通信部１１を動作させる上で実行する複数の動作機能に係る画面を操作パネル部７に表示制御するとともに、操作パネル部７からの選択指示に基づき、それらを実行制御する機能を有している。
【００４７】
すなわち、主制御部１は、上述した動作機能の各動作回数をカウントするカウント部１７と、選択された動作機能に関連するとともにカウント値が所定の基準値を超える動作機能に係る画面を操作パネル部７に表示制御する表示制御部１９としての機能を有している。
【００４８】
カウント部１７は、上述した用紙設定の動作機能、濃度設定の動作機能、印刷形態設定の動作機能又はフィニッシャ設定の動作機能その他の動作機能毎に、それらが選択されて実行されたとき、これをカウントしてカウント値を個々の動作機能に対応させて記憶部５に記憶制御する機能を有している。
【００４９】
表示制御部１９は、当該装置Ａの画像形成動作につき動作機能が選択されたとき、選択された動作機能に関係する関係動作機能を検索するとともに、当該検索した関係動作機能のカウント値をカウント基準値と比較し、当該基準値を超えて小さいカウント値の関係動作機能に係る画面を、選択された動作機能とともに操作パネル部７に一緒に表示制御する機能を有している。なお、関係する動作機能どうしの情報は、予め記憶部５等に設定されている。
【００５０】
関係動作機能としては、以下のようなものがある。
（１）ユーザが選択した動作機能に類似した機能であって、選択した機能と同時に選択できない機能、いわゆる代替的動作機能がある。例えば、用紙設定の動作機能、濃度設定の動作機能又は印刷形態設定の動作機能等がある。
（２）ユーザが選択した動作機能に類似した機能であって、選択した機能の実施の前段階又は後段階で連続して実行可能な機能、いわゆる付加的動作機能がある。例えば、フィニッシャ設定の動作機能等がある。
【００５１】
そのため、表示制御部１９は、例えば図３Ａに示す動作機能のように、Ａ４版の規格用紙とコピー濃度が選択されている時点で、試し印刷、白黒反転、集約印刷、網掛印刷が基準値より下回っていれば、用紙と印刷濃度の選択表示とともに試し印刷、白黒反転、集約印刷、網掛印刷等の代替的動作機能に係る画面を表示する機能を有している。
【００５２】
他方、表示制御部１９は、例えば図３Ｂに示す動作機能のように、フィニッシャ設定の動作機能のステープルおよびパンチ動作機能が選択されている時点で、中折り、表示付け、ソートおよびスタックの各動作機能が基準値より下回っていれば、ステープルおよびパンチ動作機能の選択表示とともに、中折り、表示付け、ソートおよびスタックの各動作機能等の追加的動作機能に係る画面を表示する機能を有している。
【００５３】
なお、図３Ａの代替的動作機能の表示か、同図Ｂの追加的動作機能の表示かは、予め選択設定しておくことも、操作パネル部７に選択キー（図示せず。）を配置しておいても良いし、同時に表示することも可能である。
【００５４】
次に、上述して本発明の画像形成装置Ａの動作を簡単に説明する。
【００５５】
なお、用紙設定の動作機能、濃度設定の動作機能、印刷形態設定の動作機能、フィニッシャ設定の動作機能その他の動作機能毎に、過去の実行時のカウント値が個々の動作機能に対応させて記憶部５に記憶されているものとする（カウント処理）。
【００５６】
画像読取部３から原稿を読み取るとき、操作パネル部７において、例えば図３Ａに示すように、用紙がＡ４版でコピー濃度が自動選択に設定されている時点で、試し印刷、白黒反転、集約印刷および網掛印刷の各動作機能がカウント基準値より下回っていれば、選択用紙やコピー濃度の表示とともに、試し印刷、白黒反転、集約印刷および網掛印刷等の代替的動作機能が表示パネル部７ｄに表示される（表示制御処理、表示処理）。
【００５７】
また、例えば図３Ｂに示すように、フィニッシャ設定の動作機能のステープルおよびパンチ動作機能が選択されている時点で、中折り、表示付け、ソートおよびスタックの各動作機能がカウント基準値より下回っていれば、ステープルおよびパンチ動作機能の選択表示とともに、中折り、表示付け、ソートおよびスタックの各動作機能等の追加的動作機能が表示パネル部７ｄに表示される（表示制御処理、表示処理）。
【００５８】
そのため、画像形成装置Ａのユーザにとっては、関連する動作機能であって使用頻度の低い動作機能が選択動作機能とともに表示される。
【００５９】
その後、選択された動作機能に基づき印刷部９において画像形成される一方、各動作回数がカウント部１７によってカウントアップされて記憶部５に格納される（カウント処理）。
【００６０】
そして、これらの処理過程が本発明に係る画像形成方法に相当する。
【００６１】
このように本発明の画像形成装置Ａは、当該装置Ａが有する複数の画像形成に係る動作機能について、それら動作機能の各動作回数をカウントするカウント部１７と、それら動作機能に係る画面を表示する操作パネル部（表示部７ｄ）７と、選択された動作機能に関連するとともにカウント値が基準値を超えて小さい動作機能に係る画面をその操作パネル部７に表示制御する表示制御部１９とを具備している。
【００６２】
そのため、操作パネル部７には、選択された動作機能とこれに関連する使用頻度の少ない動作機能とが一緒に表示されるから、使用頻度の少ない動作機能が何れの動作機能に関係するのかユーザに分かり易くなり、動作機能選択の参考になって使用を促し易く、幅広い動作機能の有効活用や促進に有用である。
【００６３】
しかも、選択された動作機能に関連する使用頻度の少ない動作機能として、代替的動作機能および追加的動作機能を表示するから、種々の動作機能の有効活用を確実に図ることが容易である。
【００６４】
そして、本発明の画像形成装置Ａにおいては、使用頻度の少ない動作機能に係る画面を一緒に表示する構成に限定されず、選択された動作機能と、これに関連する動作機能であって所定のカウント基準値より大きなカウント値の動作機能、すなわち使用頻度の高い動作機能とを一緒に表示する構成も可能である。
【００６５】
このように、選択された動作機能と使用頻度の高い動作機能とを一緒に表示する構成では、より一層、幅広い動作機能の有効活用や促進に有用である。
【００６６】
また、上述した本発明の画像形成装置Ａは、選択表示された動作機能としてショートカットキーが表示される構成において、選択表示されたショートカットキーに関連する上述した動作機能に係る画面を一緒に表示する構成も可能であり、これに合わせて操作パネル部７および表示制御部１９を形成すれば良い。
【００６７】
このように、ショートカットキーとこれに関連する動作機能に係る画面を一緒に表示する構成では、ショートカットキー自体だけでは動作機能の内容が分かり難い場合も予想されるが、関連する動作機能が一緒に表示されることにより、互いの表示相乗効果によって動作機能の内容がより分かり易くなり、選択が容易になる。
【００６８】
ところで、本発明の画像形成装置Ａにおいて、選択された動作機能としては、その都度直前に操作パネル部７によって選択された動作機能のみに限らず、デフォルト設定された動作機能やユーザが既設定した動作機能のように、予め記憶部５に設定記憶されたものであっても良い。
【００６９】
そのため、上述した本発明の画像形成装置Ａは、図４に示すように、選択された動作機能に関連する動作機能に係る画面を画像形成動作の完動状態の前段又は後段、すなわち、装置Ａの起動時、定着安定待ち時、印刷部９の補正動作中といったように、画像形成動作を行い得ない状態においても表示する構成も可能であり、これに合わせて表示制御部１９を形成すれば良い。なお、既設定された主要な動作機能とともに一緒に表示することも可能である。
【００７０】
そして、本発明の画像形成装置Ａにおける動作機能は、上述したものに限定されず、当該装置Ａが搭載した少なくとも２種類以上の画像形成に係る動作機能において実施が可能であり、選択された動作機能に関連する動作機能としては、上述したように代替的動作機能や追加的動作機能に限らずユーザが予め同一のグループにまとめた動作機能であっても良い。
【００７１】
さらに、本発明の画像形成方法においても、上述した画像形成装置と同様の効果を得ることが可能である。
【図面の簡単な説明】
【００７２】
【図１】本発明に係る画像形成装置の実施の形態を示す概略ブロック図である。
【図２】本発明に係る画像形成装置における操作パネル部を示す図である。
【図３】本発明に係る画像形成装置における操作パネル部における表示状態を示す図である。
【図４】本発明に係る画像形成装置における操作パネル部における表示状態を示す図である。
【符号の説明】
【００７３】
１  主制御部
３  画像読取部
５  記憶部
７  操作パネル部（表示部、入力部）
９  印刷部
１１  通信部
１３  ネットワーク
１５  情報処理装置（コンピュータ）
１７  カウント部（主制御部）
１９  表示制御部（主制御部）
Ａ  画像形成装置（複合機）
【図１】
2010130269.tif 000003
【図２】
2010130269.tif 000004
【図３】
2010130269.tif 000005
【図４】
2010130269.tif 000006